(57)【要約】【課題】寒冷地や冬期などにおいて、光源としての冷陰極管の周囲温度が低くなるような場合であっても、その冷陰極管を点灯直後から所定の照度で明るく発光させてかご室内を安定して照明することができるエレベータのかご室照明装置を提供する。【解決手段】エレベータのかご室１の天井部に、そのかご室内照明用の光源として冷陰極管１２を設ける。また、電源回路２０から供給される直流電圧を交流電圧に変換し、その交流電圧により前記冷陰極管１２を点灯させるインバータ１６を設け、冷陰極管１２への電源投入時から所定時間が経過するまでは、制御回路２２による制御でインバータ１６へは通常時の電流量を上回る過電流を供給し、所定時間の経過後に通常の電流量を供給して冷陰極管１２の点灯を維持する。【選択図】      図２
2006076734.tif 000002
【特許請求の範囲】
【請求項１】
エレベータのかご室内に照明用の光源として設けられる冷陰極管と、
電源回路から供給される直流電圧を交流電圧に変換し、その交流電圧により前記冷陰極管を点灯させるインバータと、
前記冷陰極管への電源投入時から所定時間が経過するまでは、その冷陰極管へ通常時の電流量を上回る過電流を供給し、所定時間の経過後に通常の電流量を供給することが可能な制御回路と、
を具備することを特徴とするエレベータのかご室照明装置。
【請求項２】
前記制御回路は、前記冷陰極管の周囲温度を検知する温度検知器を備え、この温度検知器により検知される温度が所定温度以下のときにおいて、前記冷陰極管への電源投入時から所定時間が経過するまでの間、冷陰極管へ通常時の電流量を上回る過電流を供給することを特徴とする請求項１に記載のエレベータのかご室照明装置。
【発明の詳細な説明】
【技術分野】
【０００１】
この発明は、エレベータのかご室内を照明するかご室照明装置に関する。
【背景技術】
【０００２】
エレベータのかご室の天井部には照明箱が取り付けられている。この照明箱は下面に大きな開口部を有し、この開口部に光透過性の例えば合成樹脂からなる照明板が設けられている。そして照明箱内に光源が設けられ、この光源の光が前記照明板を通してかご室内に拡散されてかご室内が照明される。
【０００３】
かご室の天井部に設けられる光源としては、蛍光ランプ（熱陰極管）が用いられている。しかしながら、蛍光ランプ（熱陰極管）はその口径が比較的大きく、また寿命が比較的短いという難点ある。
【０００４】
そこで、本出願人は、かご室の天井部に設ける光源として、冷陰極管（冷陰極蛍光ランプ）を用いる提案をしている。冷陰極管は、１〜６ｍｍ程度の直径を有する細長筒状の透光性放電容器と、この放電容器の両端部に封止された一対の冷陰極と、放電容器の内面に塗布された蛍光体と、放電容器内に封入された放電媒体とを備え、陰極が加熱されることなく発光するため、点灯・消灯の回数によって寿命が左右されることがほとんどなく長寿命であり、また電圧を印加すると即点灯し、発光までの時間的な遅れがないという有利な特性をもっている。
【０００５】
このような冷陰極管を光源として用いる場合、その冷陰極管は電源回路およびインバータを介して点灯される。すなわち、電源回路には交流電源１００Ｖが供給され、この交流電源がＡＶＲなどを用いて所定の例えば直流電圧２４Ｖに変圧されてインバータに供給される。インバータは電源回路から印加される直流電圧を所定の周波数の交流電圧に変換し、その変換した交流電圧を冷陰極管に印加し、冷陰極管を点灯させる。
【発明の開示】
【発明が解決しようとする課題】
【０００６】
ところが、冷陰極管はその点灯時の明るさが周囲温度の影響を受けて変化するという特性があり、例えば寒冷地などで周囲温度が冷え込んで温度が低いときには点灯時の照度が低下する。
【０００７】
特に周囲温度が５℃以下になると、点灯直後の相対照度は１０％となり、−１０℃以下の寒冷地などでは、インバータを始動させても冷陰極管が正常に点灯しないような場合がある。また、寒冷地に限らず、冬期に周囲温度が下がり、５℃以下になるような環境下でも冷陰極管の点灯直後の照度が低下し、あるいは正常に点灯しない場合がある。
【０００８】
一般にエレベータは、省エネルギーの観点から一定時間、例えば３０分間が経過しても乗客が利用しないときには、かご室内の照明装置を消灯し、乗客がエレベータを利用するためのボタンを操作したときにかご室内の照明装置を点灯させるシステムが採用されている。
【０００９】
このような場合にも、寒冷地や冬期などにおいて冷陰極管の周囲温度が低いと、点灯開始直後では、冷陰極管内の電子の飛び方が低く安定しないため、点灯直後は暗く、だんだん時間が経過するに従い徐々に明るくなるという現象が起き、かご内に乗客が乗ったときにはかご室内が暗く感じることがある。
【００１０】
点灯開始後には、冷陰極管自身の発光熱で表面温度が上がり、電子の飛び方が徐々に安定し、明るさも安定するが、所定の照度に安定するまでには、約１分間ほど時間がかかり、その時間内では乗客が降りてしまうこともあり、サービス性の点で問題がある。
【００１１】
この発明はこのような点に着目してなされたもので、その目的とするところは、寒冷地や冬期などにおいて、冷陰極管の周囲温度が低くなるような場合であっても、その冷陰極管を点灯直後から所定の照度で明るく発光させてかご室内を安定して照明することができるエレベータのかご室照明装置を提供することにある。
【課題を解決するための手段】
【００１２】
請求項１の発明は、エレベータのかご室内に照明用の光源として設けられる冷陰極管と、電源回路から供給される直流電圧を交流電圧に変換し、その交流電圧により前記冷陰極管を点灯させるインバータと、前記冷陰極管への電源投入時から所定時間が経過するまでは、その冷陰極管へ通常時の電流量を上回る過電流を供給し、所定時間の経過後に通常の電流量を供給することが可能な制御回路とを具備することを特徴としている。
【００１３】
請求項２の発明は、前記制御回路が、前記冷陰極管の周囲温度を検知する温度検知器を備え、この温度検知器により検知される温度が所定温度以下のときにおいて、前記冷陰極管への電源投入時から所定時間が経過するまでの間、冷陰極管へ通常時の電流量を上回る過電流を供給することを特徴としている。
【発明の効果】
【００１４】
この発明によれば、寒冷地や冬期などにおいて、冷陰極管の周囲温度が低くなるような場合であっても、その冷陰極管を点灯直後から所定の照度で明るく発光させてかご室内を安定して照明することができる。
【発明を実施するための最良の形態】
【００１５】
以下、この発明の実施形態について図面を参照して説明する。
【００１６】
図１にはエレベータのかご室１の天井部の構成を概略的に示してある。かご室１の天井部には照明箱２が取り付けられ、この照明箱２は下面に大きな開口部３を有し、この開口部３に光透過性の例えば合成樹脂で形成された照明板４が設けられている。
【００１７】
照明箱２の天井面には複数の光源ユニット８が並列して取り付けられている。図２には照明箱２内の光源ユニット８の配列状態の平面図を、図３には光源ユニット８の断面図をそれぞれ示してある。
【００１８】
照明箱２内に設けられた各光源ユニット８は、反射板を兼ねるベース板１０と、このベース板１０の表面にソケット（図示せず）を介して取り付けられた光源としての一対の冷陰極管１２と、これら冷陰極管１２を覆うようにベース板１０に取り付けられたカバー１３とを有し、前記一対の冷陰極管１２は互に平行に並ぶように支持され、前記カバー１３は例えば光透過性の合成樹脂で形成され、またベース板１０の一端部に前記冷陰極管１２を点灯させるインバータ１６が取り付けられている。
【００１９】
図１および図２に示すように、かご室１の上部には電源回路２０が組み込まれている。そしてこの電源回路２０に交流電源１００Ｖが供給され、この交流電源がＡＶＲなどを用いて所定の例えば直流電圧２４Ｖに変圧されて前記インバータ１６にそれぞれ供給される。各インバータ１６は、電源回路２０から印加される直流電圧を所定の周波数の交流電圧に変換し、その変換した交流電圧を冷陰極管１２に印加し、この交流電圧の印加で冷陰極管１２が点灯する。
【００２０】
電源回路２０には、制御回路２２が組み込まれており、この制御回路２２は電源回路２０に電源が投入され、その電源回路２０が交流電源を所定の直流電圧に変換してインバータ１６に供給する際に、その電流量がインバータ１６に通常流す電流量よりも高い過電流となるように制御する機能をもち、その過電流を流す時間は例えば１分間に設定され、その設定時間後にはインバータ１６に通常の電流量が供給されるようになっている（図４参照）。
【００２１】
このような構成によれば、寒冷地や冬期などにおいて、冷陰極管１２の点灯に際し、電源回路２０からインバータ１６に電源が投入されると、その電源投入時から所定の設定時間（１分間）が経過するまで、制御回路２２による制御でインバータ１６に過電流が供給される。このためその過電流に基づいて冷陰極管１２の点灯開始直後から電子の飛び方が安定し、所定の明るさの照度で発光する。そしてこの発光による熱で所定時間（１分間）が経過するまでに冷陰極管１２の温度が安定照度が得られる２５℃以上にまで上昇する。
【００２２】
所定時間が経過した後には、インバータ１６へは制御回路２２の制御により通常の電流量が供給されるが、この時点には冷陰極管１２の温度が上述のように安定照度が得られる温度にまで上昇しており、したがって冷陰極管１２が所定の明るさの照度を維持して安定して発光する。
【００２３】
このように、寒冷地や冬期などのように、冷陰極管１２の周囲温度が低く安定点灯が困難な環境にあっても、その冷陰極管１２を点灯直後から所定の照度で明るく発光させてかご室１内を安定して照明することができる。
【００２４】
このため、エレベータが一定時間以上、例えば３０分間以上利用されずに各冷陰極管１２が消灯されている状態から乗客がエレベータを利用するためのボタンを操作し、この操作で各冷陰極管１２に電源が投入されたときに、冷陰極管１２の点灯開始直後から冷陰極管１２が所定の照度で発光し、かご室１内が安定した所定の明るさで照明され、したがって乗客がかご室１内に乗り込んだときにはかご室１内が暗く、その後、徐々に明るくなるというような不都合がなく、乗客に対するサービス性が向上する。
【００２５】
なお、制御回路２２に温度検知器を組み込み、この温度検知器で冷陰極管１２の周囲温度を検知し、その検知温度が安定点灯が困難な所定温度以下のときにおいてのみ、冷陰極管１２への電源投入時から所定時間が経過するまでの間、インバータ１６へは通常時の電流量を上回る過電流を供給し、検知温度が安定照度が得られる温度を上回るときには、冷陰極管１２への電源投入時からインバータ１６へは通常時の電流量を供給するように構成することも可能である。この場合には、インバータ１６に過電流が供給される頻度が短縮されるため、インバータ１６および冷陰極管１２の寿命を延ばすことができる。
【００２６】
また、制御回路２２にタイマを組み込み、このタイマで例えば冷陰極管１２の周囲温度が安定点灯が困難となる温度を下回ることのない夏期の季節を検出し、その検出時においては、電源投入時から通常の電流量を保ってインバータ１６に電流を供給するように構成することも可能である。この場合にも、インバータ１６に過電流が供給される期間が短縮されるため、インバータ１６および冷陰極管１２の寿命を延ばすことができる。
【００２７】
ところで、エレベータのかご室内を照明する光源としては、ＬＥＤ（発光ダイオード）や有機ＥＬ（エレクトロルミネッセンス）を用いることも可能である。この場合、例えば複数の白色のＬＥＤや有機ＥＬの素子を適宜な形状のホルダ等に組み付けて棒状、リング状あるいは二次元平面状等の形態にユニット化し、そのユニットをかご室の天井の照明箱内に組み込む。なお、１個のＬＥＤや有機ＥＬの素子を用いて棒状、リング状あるいは二次元平面状等に構成することも可能である。
【００２８】
照明箱内には、光源としてＬＥＤのみを組み込む場合であっても、有機ＥＬのみを組み込む場合であっても、あるいはＬＥＤと有機ＥＬとを適数ずつ組み合わせて組み込む場合であってもよい。
【００２９】
ＬＥＤや有機ＥＬは白色のものを用いる場合のほか、周囲環境、光量、使用時間帯、使用季節等に応じて他の色のものを用いることも可能であり、また複数の色のＬＥＤや有機ＥＬを混在させることも可能である。さらに、光源としてＬＥＤや有機ＥＬと併せて冷陰極蛍光ランプを照明箱内に組み込んでかご室照明装置として構成することも可能である。
【００３０】
なお、ＬＥＤや有機ＥＬを発光させる手段としては、従来一般に使用されている駆動制御装置を用いることは言うまでもない。
【図面の簡単な説明】
【００３１】
【図１】この発明の一実施形態に係るかご室照明装置の構成図。
【図２】そのかご室照明装置を下から見た平面図。
【図３】そのかご室照明装置における光源ユニットの断面図。
【図４】そのかご室照明装置の制御回路の動作の流れを示すフローチャート。
【符号の説明】
【００３２】
１…かご室
２…照明箱
３…開口部
４…照明板
８…光源ユニット
１０…ベース板
１２…冷陰極管
１３…カバー
１５…ヒータ
１６…インバータ
２０…電源回路
２２…制御回路
【図１】
2006076734.tif 000003
【図２】
2006076734.tif 000004
【図３】
2006076734.tif 000005
【図４】
2006076734.tif 000006